(57)【特許請求の範囲】
【請求項１】
外箱と、棚板支持部、ガイドレール取付け部、又は仕切り壁支持部を備えた内箱と、これら外箱及び内箱の間に配置される真空断熱パネルとから構成された断熱箱体を備えた冷蔵庫であって、
前記内箱は庫内に突出する突出部を備え、
前記内箱を、複数に分割された内板部から構成し、
前記内板部は、前記突出部を一体に形成した一体成形品と一体成形品としない平板状のシート部材で構成したものであり、
前記外箱は複数の分割された外板部から構成されていると共に、前記内箱も当該外箱と同様に複数の分割された内板部から構成され、前記複数の内板部のうち少なくとも一つが、前記突出部を一体に形成した一体成形品で構成され、さらに前記真空断熱パネルも同様に分割された複数の単位パネルから構成され、
これら分割された前記外板部と前記内板部との間に前記分割された単位パネルを配置して、複数の単位断熱壁を構成し、
前記断熱箱体は、これら複数の単位断熱壁を連結して構成されており、
前記一つの単位パネルに対して、前記突出部を一体に形成した一体成形品からなる内板部と、前記平板状のシート部材からなる内板部とが隣接して設けられており、
前記突出部は前記内箱の高さ方向に複数が配置され、
前記棚板支持部、前記ガイドレール取付け部、又は前記仕切り壁支持部の少なくとも何れかは前記内箱の庫内に突出する前記突出部により構成されており、
前記突出部を一体に形成した一体成形品からなる内板部は、前記平板状のシート部材を有する単位断熱壁と連結する連結部を有することを特徴とする冷蔵庫。
【請求項２】
前記内箱の分割された内板部は、突出部を一体に形成した一体成形品からなる内板部と、別部品の突出部が設けられる平板状のシート部材からなる内板部とを含んでいることを特徴とする請求項１に記載の冷蔵庫。
【請求項３】
前記突出部を一体に形成した一体成形品からなる内板部と、平板状のシート部材からなる内板部とは、異なる貯蔵室の内面を構成することを特徴とする請求項２に記載の冷蔵庫。
【請求項４】
前記突出部を一体に形成した一体成形品からなる内板部と、平板状のシート部材からなる内板部との境界部分には、前記異なる貯蔵室間を仕切る仕切り壁部が存在することを特徴とする請求項３に記載の冷蔵庫。
【請求項５】
前記平板状のシート部材からなる内板部は、引出容器を備えた貯蔵室の内面を構成することを特徴とする請求項２から４のいずれか一項に記載の冷蔵庫。
【請求項６】
前記一体成形品からなる内板部は、回転扉を備えた貯蔵室の内面を構成することを特徴とする請求項２から５のいずれか一項に記載の冷蔵庫。
【請求項７】
前記内箱の複数の内板部には、折れ曲がり部を一体に形成した一体成形品からなる内板部が含まれていることを特徴とする請求項１に記載の冷蔵庫。
【請求項８】
前記折れ曲がり部を備えた一体成形品からなる内板部は、前記内箱における天井面を構成し、この折れ曲がり部の裏側には機械室を備えたことを特徴とする請求項７に記載の冷蔵庫。
【請求項９】
前記折れ曲がり部を備えた一体成形品からなる内板部は、その側縁部に内箱側壁と連結するための連結部を有することを特徴とする請求項８に記載の冷蔵庫。
【請求項１０】
前記折れ曲がり部を備えた一体成形品からなる内板部と前記内箱側壁との間には断熱材が充填され、前記連結部における当該内箱側壁の近傍部位に断熱材漏れ防止部材配置用のリブが形成されていることを特徴とする請求項９に記載の冷蔵庫。
【請求項１１】
前記折れ曲がり部を備えた一体成形品からなる内板部は、前記内箱の底面を構成し、当該内板部の奥部には、前記折れ曲がり部として排水受け部が形成されていることを特徴とする請求項７に記載の冷蔵庫。
【発明の詳細な説明】
【技術分野】
【０００１】
本発明の実施形態は、冷蔵庫に関する。
【背景技術】
【０００２】
冷蔵庫では、内箱と外箱との間に真空断熱パネルを配設した構成の断熱箱体を備えたものがある。前記内箱は、その全体がインジェクション成形や、真空成形により形成された一体成形品から構成されている。
【先行技術文献】
【特許文献】
【０００３】
【特許文献１】特開平４−２６０７８０号公報
【特許文献２】特開平６−１４７７４４号公報
【発明の概要】
【発明が解決しようとする課題】
【０００４】
上述の冷蔵庫では、内箱には庫内に設置される棚板などを支持する支持部や、引き出し式容器を支持するガイドレール取付部といった突出部が無い。このような突出部は冷蔵庫では必要不可欠のものであるから、内箱に設ける必要がある。しかし、上述の冷蔵庫では、この突出部を設けようとした場合、突出部を内箱と別部品で構成し、この別部品を取り付けなければならず、製作工数が多いといった問題がある。
【０００５】
そこで、製作工数の低減を図り得る冷蔵庫を提供する。
【課題を解決するための手段】
【０００６】
実施形態の冷蔵庫は、外箱と、棚板支持部、ガイドレール取付け部、又は仕切り壁支持部を備えた内箱と、これら外箱及び内箱の間に配置される真空断熱パネルとから構成された断熱箱体を備えた冷蔵庫であって、前記内箱は庫内に突出する突出部を備え、前記内箱を、複数に分割された内板部から構成し、前記内板部は、前記突出部を一体に形成した一体成形品と一体成形品としない平板状のシート部材で構成したものであり、前記外箱は複数の分割された外板部から構成されていると共に、前記内箱も当該外箱と同様に複数の分割された内板部から構成され、前記複数の内板部のうち少なくとも一つが、前記突出部を一体に形成した一体成形品で構成され、さらに前記真空断熱パネルも同様に分割された複数の単位パネルから構成され、これら分割された前記外板部と前記内板部との間に前記分割された単位パネルを配置して、複数の単位断熱壁を構成し、前記断熱箱体は、これら複数の単位断熱壁を連結して構成されており、前記一つの単位パネルに対して、前記突出部を一体に形成した一体成形品からなる内板部と、前記平板状のシート部材からなる内板部とが隣接して設けられており、前記突出部は前記内箱の高さ方向に複数が配置され、前記棚板支持部、前記ガイドレール取付け部、又は前記仕切り壁支持部の少なくとも何れかは前記内箱の庫内に突出する前記突出部により構成されており、前記突出部を一体に形成した一体成形品からなる内板部は、前記平板状のシート部材を有する単位断熱壁と連結する連結部を有することを特徴とする。
【図面の簡単な説明】
【０００７】
【図１】第１実施形態による冷蔵庫の断熱箱体を下方から見た斜視図
【図２】断熱箱体を上方から見た斜視図
【図３】冷蔵庫を上方から見た斜視図
【図４】断熱箱体の横断平面図
【図５】左側断熱壁の分解斜視図
【図６】上内板部を下方から見た斜視図
【図７】下内板部を上方から見た斜視図
【図８】図４のＫ部の拡大図
【図９】左側断熱壁と奥側断熱壁とのコーナー部分の横断平面図
【図１０】左側断熱壁と上側断熱壁とのコーナー部分の縦断正面図
【図１１】固定具と奥内板部との分解斜視図
【図１２】奥内板部に対する固定具の取付状態を示す斜視図
【図１３】同縦断側面図
【図１４】固定具にシート部材用連結板を取り付けた状態の縦断側面図
【図１５】横梁部材と左側断熱壁との連結部分の横断平面図
【図１６】棚板支持具の取付状態を示す縦断側面図
【図１７】図１６とは異なる断面での棚板支持具の取付状態を示す縦断側面図
【図１８】棚板支持具と左内板部とねじとの分解縦断側面図
【図１９】仕切り壁支持部部分の縦断側面図
【図２０】同斜視図
【図２１】第２実施形態による冷蔵庫の断熱箱体を下方から見た斜視図
【図２２】断熱箱体を上方から見た斜視図
【図２３】左側断熱壁の分解斜視図
【図２４】ガイドレール取付具部分の分解状態での縦断側面図
【図２５】ガイドレール取付具部分の縦断側面図
【図２６】第３実施形態を示し、ガイドレール取付具部分の縦断側面図
【図２７】ガイドレール取付具部分の分解状態での縦断側面図
【図２８】第４実施形態を示し、断熱箱体の一部を示す縦断正面図
【図２９】断熱箱体の一部を展開した縦断正面図
【図３０】断熱箱体の一部の分解状態での縦断正面図
【発明を実施するための形態】
【０００８】
＜第１実施形態＞
まず、第１実施形態による冷蔵庫１について図１から図２０を参照して説明する。図３に示す冷蔵庫１は、前面に開口が形成された断熱箱体２を主体として構成されている。断熱箱体２の前面側には、観音式の左側の回転扉３と右側の回転扉４と、複数の引出し式扉５〜８とが取り付けられている。これら各扉３〜８はいずれも内部に断熱材（図示せず）を備えた断熱扉から構成されている。前記左側の回転扉３、右側の回転扉４は、図１及び図２に示すように、断熱箱体２に取り付けられた上下一対のヒンジ部３ａ、３ｂ、同じく上下一対の４ａ、４ｂにより回転自在に支持されている。
【０００９】
断熱箱体２は、夫々単位断熱壁である左側断熱壁９、右側断熱壁１０、上側断熱壁１１、下側断熱壁１２、奥側断熱壁１３を連結して構成されている。これら断熱壁９〜１３については後述する。
この断熱箱体２の開口部の左右縁部には、横梁部材５１、５２、５３が横方向に架設されており、さらに横梁部材５２、５３には、左右方向の途中部に縦梁部材５４が縦方向に架設されている。そして、横梁部材５１の後側には異なる貯蔵室を仕切る第１の仕切り壁５５が取り付けられ、又、横梁部材５２の後側にはさらに異なる貯蔵室を仕切る第２の仕切り壁５６が取り付けられている。
【００１０】
前記第１の仕切り壁５５は断熱箱体２内において当該第１の仕切り壁５５上方に貯蔵室としての冷蔵室５７を形成し、第２の仕切り壁５６は第１の仕切り壁５５との間に貯蔵室としての野菜室５８を形成している。さらに、正面から見て横梁部材５２と同じく横梁部材５３との間の空間領域で縦梁部材５４よりも右側を貯蔵室としての小冷凍室５９とし、左側を貯蔵室としての製氷室６０としている。そして、正面から見て横梁部材５３の下方空間領域を貯蔵室としての冷凍室６１としている。
【００１１】
前記冷蔵室５７は、前記回転扉３と右側の回転扉４とによって開閉される。又、野菜室５８は、その前面開口が前記引き出し式扉５によって開閉され、この引き出し式扉５の裏面側には図示しない野菜容器が一体に取り付けられている。
又、前記小冷凍室５９は、その前面開口が前記引き出し式扉６によって開閉され、この引き出し式扉６の裏面側には図示しない被冷凍品収容容器が一体に取り付けられている。
さらに前記製氷室６０は、その前面開口が前記引き出し式扉７によって開閉され、この引き出し式扉７の裏面側には図示しない氷受け容器が一体に取り付けられている。
【００１２】
さらに又、前記冷凍室６１は、その前面開口が前記引き出し式扉８によって開閉され、この引き出し式扉８の裏面側には図示しない被冷凍品収容容器が一体に取り付けられている。
【００１３】
前記第２の仕切り壁５６は、貯蔵温度差の大きい野菜室５８と、小冷凍室５９及び製氷室６０とを断熱的に仕切るために発泡スチロールや発泡ウレタンなどの断熱材を有して構成され、また、第１の仕切り壁５５はさほど貯蔵温度差の大きくない冷蔵室５７と野菜室５８とを仕切るために例えば合成樹脂製板材から構成されている。
【００１４】
さて、上記断熱箱体２及びこれら各断熱壁９〜１３について詳述する。まず、図１〜図４において、断熱箱体２の全体的な外郭を構成する外箱１４は、左外面を構成する左外板部１４Ａと、右外板部１４Ｂと、上外板部１４Ｃと、下外板部１４Ｄと、後外板部１４Ｅとを分割して有する。これら各外板部はいずれも鋼板から構成されており、左外板部１４Ａと右外板部１４Ｂとは左右対称形をなす。
【００１５】
又、断熱箱体２の内面を構成する内箱１５は、左内面を構成する左内板部１５Ａと、右内面を構成する右内板部１５Ｂと、上内面を構成する上内板部１５Ｃと、下内面を構成する下内板部１５Ｄと、奥内面を構成する奥内板部１５Ｅとを分割して有する。
前記左内板部１５Ａと右内板部１５Ｂとは左右対称形をなすので、左内板部１５Ａについて説明する。内箱１５の一部である左内板部１５Ａは、突出部として、後述するが、棚板支持部４０ａ、４０ｂ、４０ｃと、ガイドレール取付部４１ａ、４１ｂと、仕切り壁支持部４２ａ、４２ｂとを備え、これら棚板支持部４０ａ、４０ｂ、４０ｃと、ガイドレール取付部４１ａ、４１ｂと、仕切り壁支持部４２ａ、４２ｂとを一体に形成した一体成形品Ｉａ（右内板部１５Ｂにおいては左右対称形の一体成形品Ｉｂ）から構成されている。
【００１６】
又、図６にも示すように、上内板部１５Ｃは、折れ曲がり部として庫内へ膨出するＬ状部１７を一体に有する合成樹脂（例えばオレフィン樹脂）の一体成形品Ｉｃからなる。
又、図７にも示すように、下内板部１５Ｄは、折れ曲がり部としての排水受け部１８を一体に有する合成樹脂の一体成形品Ｉｄからなる。これら一体成形品Ｉａ、Ｉｂ、Ｉｃ、Ｉｄは、例えばインジェクション成形により形成されている。なお、真空成形でも良い。
【００１７】
又、奥内板部１５Ｅは合成樹脂製の平板状のシート部材Ｓａからなる。なお、このシート部材Ｓａは、特別形状の成形型を用いないで、押出し成形や圧延成形などで製造できる。又、市販品の平板状のシート部材を使用しても良い。
又、図４に示すように、前記外箱１４と内箱１５との間には、真空断熱パネル１６が設けられており、この真空断熱パネル１６は、夫々単位パネルである、左単位パネル１６Ａと、右単位パネル１６Ｂと、上単位パネル１６Ｃ（図１０に図示）と、下単位パネル（図示せず）と、奥単位パネル１６Ｅとを分割して有する。各単位パネルは、基本的な構成は同じであるので、例えば左単位パネル１６Ａについて説明する。
【００１８】
この左単位パネル１６Ａは、図８及び図９に示すように、基材１９を包体２０に収容し、その内部を真空排気により減圧密封させて構成されている。基材１９は例えばグラスウールなどの無機繊維の積層材を圧縮硬化させて板状に成形されたものである。包体２０はガスバリア性能を得るために、例えばアルミ蒸着層やアルミ箔層などの金属層を含んで構成されている。各単位パネルも一般的には真空断熱パネルとして呼ばれるものである。
【００１９】
前述した左側断熱壁９は、図５に示すように、左外板部１４Ａと左内板部１５Ａとの間に左単位パネル１６Ａを配置し、これら三者を接着剤により接着して単位断熱壁として構成されている。
【００２０】
そして、外箱１４と内箱１５とにおける前端部、例えばこの左側断熱壁９の左外板部１４Ａ前端部と左内板部１５Ａ前端部は、図８に示すように、断熱性材である合成樹脂製の前端用連結部材２１により連結されている。この場合、左外板部１４Ａ前端部及び左内板部１５Ａ前端部は夫々左単位パネル１６Ａから前方に突出し、さらに内側へ折曲されている。この折曲部１６Ａａは、断熱箱体２の内側（貯蔵室側）へは入り込まない構成であり、外箱１４（左外板部１４Ａ）の熱（外気熱）が貯蔵室へ伝わることを防止している。
そして、左単位パネル１６Ａ前端、左外板部１４Ａ前端部内面、前端用連結部材２１内面で形成された内部空間部には断熱材例えばソフトテープ２２が挿入配置されている。なお、このソフトテープ２２に代えて発泡スチロールでも良い。
【００２１】
右側断熱壁１０もこの左側断熱壁９と同様（左右対称形）に構成されている。
又上側断熱壁１１は、図２及び図１０に示すように、前述した上内板部１５Ｃと上外板部１４Ｃとの間に上単位パネル１６Ｃを配置し、上内板部１５Ｃと上単位パネル１６Ｃとを接着剤により接着し、上単位パネル１６Ｃと上外板部１４Ｃとの間に発泡ウレタン２４を充填固化して構成されている。この場合、上内板部１５Ｃは前述したように、折れ曲がり部として庫内へ膨出するＬ状部１７を一体に有する合成樹脂の一体成形品Ｉｃからなるものであり、これに対して前記上外板部１４Ｃも図２に示すように、同様にＬ状部１７ａを有し、従って、当該上側断熱壁１１は、全体として後部が下側に突出する形態をなし、換言すれば後部に凹状部１１ａが形成された形態をなす。そして、この上側断熱壁１１の前記凹状部１１ａ後方空間部により機械室１１ｂが構成されており、この機械室１１ｂには、冷凍サイクルのコンプレッサや凝縮器などが配置されている。
【００２２】
そして、上記機械室１１ｂは図３の機械室カバー１１ｃにより閉塞している。
又、上外板部１４Ｃは、図１０に示すように、上単位パネル１６Ｃ上面から離間して左側断熱壁９の左外板部１４Ａ及び右外板部１４Ｂと連結されている。又、上内板部１５Ｃには、その両側縁部に内箱側壁である左内板部１５Ａ及び右内板部１５Ｂと連結するための連結部１５Ｃ１（図６にも）を有し、この連結部１５Ｃ１の先端部が左内板部１５Ａに図示しない連結具により連結されている。
【００２３】
この場合、左側の連結部１５Ｃ１について説明するが、右側の連結部も同様（左右対称形）の構成である。この連結部１５Ｃ１の先端部内側には、図１０に示すように、上方へ突出するリブ１５Ｃ２が形成されており、このリブ１５Ｃ２と左内板部１５Ａとの間に断熱材漏れ防止部材として例えばソフトテープ２３が挿入されている。さらに、上単位パネル１６Ｃ上方から内部コーナー部にかけて断熱材例えば前記発泡ウレタン２４が充填固化されており、この場合前記ソフトテープ２３が当該発泡ウレタン２４の充填時での漏れを防止している。
【００２４】
又、下側断熱壁１２は、下外板部１４Ｄと下内板部１５Ｄとの間に図示しない下単位パネルを配置しこれら三者を接着剤により接着して単位断熱壁として構成されている。なお、この下側断熱壁１２は、下内板部１５Ｄと下単位パネルとを接着し、この下単位パネルと下外板部１４Ｄとの間に発泡ウレタンを充填固化して構成しても良い。この下側断熱壁１２においては、排水受け部１８最下部は断熱箱体２外部に連通している。
なお、奥側断熱壁１３も後外板部１４Ｅと奥内板部１５Ｅとの間に奥単位パネル１６Ｅを配置し、これら三者を接着剤により接着して構成されている。この場合も、適宜発泡ウレタンを充填固化した構成を追加しても良い。
【００２５】
なお、前記オレフィン樹脂からなる一体成形品Ｉａ、Ｉｂ、Ｉｃ、Ｉｄ（左内板部１５Ａ、右内板部１５Ｂ、上内板部１５Ｃ、下内板部１５Ｄ）における単位パネルとの接着面は、粗い面となるように表面加工することで、単位パネルとの接着性を良くしている。又、ＡＢＳ樹脂からなるシート部材Ｓａ（奥内板部１５Ｅ）は単位パネルとの接着性が良い。
【００２６】
左側断熱壁９と奥側断熱壁１３との連結構成について、図９、図１１〜図１４を参照して説明する。なお、右側断熱壁１０と奥側断熱壁１３との連結構成は、左側断熱壁９と奥側断熱壁１３との連結構成と左右対称形であるので、説明は省略する。
左側断熱壁９の左内板部１５Ａの奥側端部には、これと奥側断熱壁１３の奥内板部１５Ｅ（シート部材Ｓａ）とを連結するためのシート部材用連結部材としてのシート部材用連結部２５が一体に形成されている。このシート部材用連結部２５は、次に述べる、シート部材とは別部品の突出部としての固定具２６により奥側断熱壁１３に取り付けられている。
【００２７】
この固定具２６は合成樹脂例えばＡＢＳ樹脂から構成されており、図１１〜図１４に示すように、やや縦長な矩形状をなし、一端部側に上下方向に突出する鍔状部２６ａ、２６ａを有している。さらにこの固定具２６は、他端面から一端部方向へねじ孔部２６ｃが形成されている。
【００２８】
この固定具２６は、奥側断熱壁１３が組み立てられる前の段階において、奥単位パネル１６Ｅに例えば直接接着剤により接着されている。そしてこの固定具２６は、奥内板部１５Ｅ（シート部材Ｓａ）に予め形成されたやや縦長な矩形状の孔部１５ｕに、その裏側から表側へ挿入配置され、奥単位パネル１６Ｅと、奥内板部１５Ｅ裏面（固定具２６の奥単位パネル１６Ｅ側の端面も含む）とが接着剤により接着されている。この場合、鍔状部２６ａ、２６ａはシート部材である奥内板部１５Ｅと真空断熱パネルである奥単位パネル１６Ｅにより挟持された形態となる。これにより固定具２６が奥側断熱壁１３に取り付けられて内箱１５内に突出している。この固定具２６は、奥側断熱壁１３の左右両側端部（奥内板部１５Ｅの左右両端部）において上下複数個所に設けられている。
【００２９】
なお、シート部材用連結部２５の裏側空間部には断熱材である発泡スチロール２８及びソフトテープ２９が挿入配置されている。
又、奥側断熱壁１３における内箱１５内面（シート部材Ｓａからなる奥内板部１５Ｅ）には、適宜箇所に、シート部材とは別部品の突出部としての合成樹脂製の背面カバー取付具３７（図１及び図２参照）が備えられている。この背面カバー取付具３７は、奥側断熱壁１３の前方部分に配置されるダクトを隠すための背面カバーを取り付けるためのものであり、前記固定具２６と同じ取付構造により取り付けられている。
【００３０】
又、前記冷凍室６１の奥部には、冷凍サイクルの蒸発器６４が配設されており、この蒸発器６４の下方に前記排水受け部１８が位置し、当該蒸発器６４の付着霜が除霜されたときの除霜水などが排水受け部１８に受けられて、この排水受け部１８から奥側断熱壁１３外部下部に導出される。
【００３１】
なお、前記横梁部材５２と、前記左側断熱壁９及び右側断熱壁１０との連結部分の構成について図１５を参照して説明する。この図１５では、前記横梁部材５２と、前記左側断熱壁９との連結部分を示しているが、右側断熱壁１０での連結部分の構成も左右対称形であり、基本的には同じである。横梁部材５２は、前面部を構成する前面仕切り板５２ａと、補強板５２ｂと、裏仕切りカバー５２ｃと、断熱材５２ｄとを有している。一方、左側断熱壁９の左外板部１４Ａは、前面部１４Ａ１を有し、その先端部は折り返されている。
【００３２】
前面仕切り板５２ａは、補強板５２ｂと前記左外板部１４Ａの折り返し部分１４Ａ２とで挟持されている。すなわち、前面仕切り板５２ａの端部を前記折り返し部分１４Ａ２裏側に宛がい、そして、補強板５２ｂの端部を左外板部１４Ａの前面部１４Ａ１裏側に挿入し、前面仕切り板５２ａ端部及び前記折り返し部分１４Ａ２を通したねじ６２を補強板５２ｂのねじ孔に螺合することで、前記前面仕切り板５２ａが上述のように挟持されている。なお、前面仕切り板５２ａと補強板５２ｂとは予めねじ６３により一体化されている。前面仕切り板５２ａの後側には前記断熱材５２ｄを収容した裏仕切りカバー５２ｃが取り付けられている。上述の前面仕切り板５２ａにより断熱箱体２における前面開口の左右縁部を連結することで、左側断熱壁９と右側断熱壁１０とが固定され、断熱箱体２における前面開口が開いたり縮んだりすることを防止でき、貯蔵室を直方体に保つことができる。
【００３３】
なお、前記前面仕切り板５２ａの強度が高い場合には、前記補強板５２ｂはなくても良い。
又、前記裏仕切りカバー５２ｃは、図示しないが下方に突出する取付部を有し、この取付部が、前記固定具２６と同様の固定具によりねじ止めされている。
【００３４】
ここで、前記棚板支持部４０ａ、４０ｂ、４０ｃは、内箱１５の左右側面（左内板部１５Ａ、右内板部１５Ｂ）で対をなすもの同士で図示しない棚板を支持する。又、前記ガイドレール取付部４１ａは、引き出し式扉５と一体化された前記野菜容器を引き出し可能に支持するガイドレールを取り付けるためのものであり、又、ガイドレール取付部４１ａは、引き出し式扉８と一体化された前記冷凍品収容容器を引き出し可能に支持するガイドレールを取り付けるためのものである。さらに、仕切り壁支持部４２ａ、４２ｂは、夫々第１の仕切り壁５５、第２の仕切り壁５６を支持するためのものである。
【００３５】
これら棚板支持部４０ａ、４０ｂ、４０ｃと、ガイドレール取付部４１ａ、４１ｂと、仕切り壁支持部４２ａ、４２ｂの構成及び補強構造について説明する。
前記棚板支持部４０ａ、４０ｂ、４０ｃと、ガイドレール取付部４１ａ、４１ｂとは、前後方向の長さが異なる（ガイドレール取付部４１ａ、４１ｂが長い）が断面形状は同じであり、又次に述べる補強構造も同じであるので、棚板支持部４０ａについて説明する。
この棚板支持部４０ａは、図１６〜図１８に示すように、一体成形品Ｉａである左内板部１５Ａに庫内方向へ膨出するように突出されており、内面部の一部にねじボス部４３が形成されている。このねじボス部４３には、ねじ孔部４３ａが形成されている。
【００３６】
そして、左内板部１５Ａにおけるこの棚板支持部４０ａ内面部分には、補強部材としての例えば金属板製の補強板４４が取り付けられる。すなわち、この補強板４４は前記棚板支持部４０ａの内面に沿う形状に形成されており、ボス部嵌合部４４ａを有し、このボス部嵌合部４４ａにねじ挿通孔部４４ｂを形成している。この補強板４４を棚板支持部４０ａ内面部分に当て、ねじ挿通孔部４４ｂを通したねじ４５をねじ孔部４３ａに螺合することによってこの補強板４４を棚板支持部４０ａの内面に取り付け、もって当該棚板支持部４０ａを補強している。
【００３７】
又、前記仕切り壁支持部４２ａ、４２ｂは、同じ構成であるので、上側の仕切り壁支持部４２ａについて説明する。この仕切り壁支持部４２ａは、図１９及び図２０に示すように、一体成形品Ｉａである左内板部１５Ａに庫内方向へ膨出するように突出されており、内面部にねじ孔部４２ｕが形成されている。この仕切り壁支持部４２ａの内面に補強部材としての例えば金属板製の補強板４６がねじ４７止めにより取り付けられている。これにより、仕切り壁支持部４２ａ及び４２ｂが補強板４６によって補強されている。
【００３８】
なお、上述の補強板４４、４６のねじ止めは必要に応じて行えば良く、これに代えて接着による固定でも良く、要は、補強板４４、４６を左単位パネル１６Ａと左内板部１５Ａ（一体成形品）との間に設けて、当該補強板４４、４６で、夫々突出部である棚板支持部４０ａ、４０ｂ、４０ｃ、ガイドレール取付部４１ａ、４１ｂ、仕切り壁支持部４２ａ、４２ｂを補強すれば良い。
【００３９】
上述の第１実施形態においては、断熱箱体２の内箱１５が庫内に突出する突出部として棚板支持部４０ａ、４０ｂ、４０ｃと、ガイドレール取付部４１ａ、４１ｂと、仕切り壁支持部４２ａ、４２ｂとを備えている。当該内箱１５の左内板部１５Ａ及び右内板部１５Ｂを、これらの突出部を一体に形成した一体成形品Ｉａで構成した。
【００４０】
これによれば、庫内に突出する突出部を内箱１５と一体に形成できたから、突出部を別部品として製作せずに済み、又取付工数も要さず、総じて、製作工数を低減できる。
なお、上記効果を得るについては、内箱１５は上述の突出部を一体に形成した一つの一体成形品から構成したものでも良い。
【００４１】
又、この第１実施形態によれば、内箱１５を、複数に分割された内板部１５Ａ〜１５Ｅから構成したから、内箱１５において、突出部の位置に対応する内板部を、当該突出部を一体に有する一体成形品から構成すれば良く、一体成形品の大きさも小さくて済み、製造コストの低減に寄与できる。又、一体成形品としない内板部については、シート部材の採用が可能であるので、これによっても製造コストの低減に寄与できる。この場合、内板部の分割数は変更しても良い。
【００４２】
又、上記第１実施形態においては、外箱１４を、複数の分割された外板部この場合左外板部１４Ａ、右外板部１４Ｂ、上外板部１４Ｃ、下外板部１４Ｄ、後外板部１４Ｅから構成し、内箱１５も当該外箱１４と同様に複数の分割された内板部この場合左内板部１５Ａ、右内板部１５Ｂ、上内板部１５Ｃ、下内板部１５Ｄ、奥内板部１５Ｅから構成し、この複数の内板部のうち左内板部１５Ａ、右内板部１５Ｂ、上内板部１５Ｃ、下内板部１５Ｄを一体成形品１ａ、Ｉｂ、Ｉｃ、Ｉｄから構成し、さらに真空断熱パネル１６も同様に分割された複数の単位パネルこの場合左単位パネル１６Ａ、右単位パネル１６Ｂ、上単位パネル１６Ｃ、下単位パネル（図示せず）、奥単位パネル１６Ｅから構成し、これら分割された各外板部と前記内板部との間に前記分割された各単位パネルを配置して、複数の単位断熱壁としての左側断熱壁９、右側断熱壁１０、上側断熱壁１１、下側断熱壁１２、奥側断熱壁１３を構成し、断熱箱体２は、これらの断熱壁９〜１３を連結して構成した。
【００４３】
これによれば、断熱箱体２を、夫々が真空断熱パネルである単位パネルを備えた断熱壁９〜１３を組み立てることにより構成でき、組み立てが簡単である。従来では、断熱箱体を、それぞれ分割されていない外箱と内箱との組み立てにより構成していたため、大型で組み立て作業も大がかりであったが、この実施形態では、これに比べれば、組み立て作業も容易である。
【００４４】
又、第１実施形態においては、前記内箱１５の分割された内板部は、突出部を一体に形成した一体成形品Ｉａ、Ｉｂからなる内板部１５Ａ、１５Ｂと、別部品の突出部が設けられる平板状のシート部材Ｓａからなる内板部１５Ｅとを含んでいる。これによれば、別部品の突出部を設ける場合には必要に応じて、コストの安いシート部材を用いることができる。
【００４５】
又、第１実施形態によれば、内箱１５の複数の内板部１５Ａ〜１５Ｅには、Ｌ状部１７、排水受け部１８といった折れ曲がり部を一体に形成した一体成形品Ｉｃ、Ｉｄからなる内板部１５Ｃ、１５Ｄが含まれているから、複雑な形状である折れ曲がり部を型による一体成形品により一度に形成することができる。
【００４６】
この場合、折れ曲がり部であるＬ状部１７を備えた一体成形品Ｉｃ（上内板部１５Ｃ）が内箱１５における天井面を構成し、このＬ状部１７の裏側に機械室１１ｂを備えたから、機械室１１ｂをＬ状部１７により形成することができる。
【００４７】
さらに、上記Ｌ状部１７を備えた一体成形品Ｉｃからなる上内板部１５Ｃは、その側縁部に内箱側壁である左内板部１５Ａ及び右内板部１５Ｂと連結するための連結部１５Ｃ１を有するから、別部品の連結部材が不要であり、部品数や組み立て工数の削減を図ることができる。
【００４８】
さらに又、前記Ｌ状部１７を備えた一体成形品Ｉｃからなる上内板部１５Ｃと内箱側壁である左内板部１５Ａとの間、上内板部１５Ｃと右内板部１５Ｂとの間には、夫々断熱材としての発泡ウレタン２４を充填し、前記連結部１５Ｃ１における当該内箱側壁の近傍部位に断熱材漏れ防止部材配置用のリブ１５Ｃ２を形成したから、リブ１５Ｃ２と左内板部１５Ａとの間、リブ１５Ｃ２と右内板部１５Ｂとの間（この右内板部１５Ｂ側のリブ１５Ｃ２については図示しない）に断熱材漏れ防止部材としてソフトテープ２３を挿入することができ、もって、発泡ウレタン２４の充填時での漏れを防止できる。
【００４９】
又、上記第１実施形態においては、一体成形品からなる内板部である下内板部１５Ｄが内箱１５の底面を構成し、当該下内板部１５Ｄの奥部に、前記折れ曲がり部として排水受け部１８を形成しているから、複雑な形状の排水受け部１８を一度に形成できる。
【００５０】
又、第１実施形態によれば、突出部である棚板支持部４０ａ、４０ｂ、４０ｃ、ガイドレール取付部４１ａ、４１ｂ、仕切り壁支持部４２ａ、４２ｂを一体成形品Ｉａ、Ｉｂに設けている。この一体成形品である場合には材料コストが安いことを考慮して若干強度が低い（ＡＢＳ樹脂に比して低い）オレフィン樹脂（ポリプロピレン材料など）を用いるが、その強度不足を補強板４４、４６により補うことができる。
【００５１】
＜第２実施形態＞
図２１〜図２５は第２実施形態を示している。この第２実施形態においては、左側断熱壁９´及び右側断熱壁１０´の構成が第１実施形態及び第２実施形態と異なる。以下、異なる点について説明する。この場合、左側断熱壁９´及び右側断熱壁１０´は左右対称形であるので、左側断熱壁９´について説明する。
図２１〜図２３に示すように、この左側断熱壁９´では、一つの単位パネル１６Ａに対して、左内板部１５Ａ´が、夫々内板部である上側板部１５Ａａと下側板部１５Ａｂとに分割されている。
【００５２】
これら上側板部１５Ａａと下側板部１５Ａｂとは上下に隣接している。上側板部１５Ａａは、例えばインジェクション成形又は真空成形などにより一体成形品Ｉｅとして構成されている。そしてこの上側板部１５Ａａは、第１実施形態と同様に突出部としての４０ａ、４０ｂ、４０ｃを一体に有すると共に、シート部材用連結部２５´を一体に有する。このシート部材用連結部２５´は冷蔵室５７に位置するが、野菜室５８、小冷凍室５９、製氷室６０及び冷凍室６１に位置するシート部材用連結板２５´´は上側板部１５Ａａ及び下側板部１５Ａｂとは別部品として設けられている。
【００５３】
又、前記下側板部１５Ａｂは平板状のシート部材Ｓｂから構成されており、このシート部材Ｓｂとは別部品の突出部としての第１実施形態と同じ前記固定具２６を備えている。さらにこの下側板部１５Ａｂには、別部品の突出部としてのガイドレール取付具３３、３４、仕切り壁支持具３５、３６を取り付けている。
【００５４】
上述の上側板部１５Ａａは、冷蔵室５７に位置して当該冷蔵室５７内面を構成し、又、下側板部１５Ａｂは野菜室５８、小冷凍室５９、製氷室６０、冷凍室６１にわたって位置してこれら各室の内面を構成している。上側板部１５Ａａと下側板部１５Ａｂとの境界部分には第１の仕切り壁５５が配置されている。
【００５５】
前記ガイドレール取付具３３、３４のうちガイドレール取付具３３は野菜室５８の両内側面に位置するものであり、ガイドレール取付具３４は冷凍室６１の両内側面に位置するものである。両ガイドレール取付具３３、３４は同じ構成であるので、ガイドレール取付具３３について説明する。このガイドレール取付具３３は、板状の本体部３３ａに、ガイドレール取付部３３ｂを一体に突設した構成であり、このガイドレール取付具３３の裏面には、締結部材係合部としてのねじ孔部３３ｃが形成されており、このねじ孔部３３ｃの開口周縁部は皿状の座ぐり３３ｄが形成されている。
【００５６】
そして、下側板部１５Ａｂにおける野菜室５８及び冷凍室６１内面相当部位には、締結部材挿通孔部としてのねじ挿通孔部３１（図３０に図示）が形成されている。そして左側断熱壁９´の組み立て前において、締結部材としての皿ねじ３２を下側板部１５Ａｂ裏側から前記ねじ挿通孔部３１を通し、前記ガイドレール取付具３３、３４の前記ねじ孔部３３ｃに螺合することでガイドレール取付具３３、３４を左内板部１５Ａ内面に固定し、もって、ガイドレール取付具３３、３４を野菜室５８における内箱１５内面に突設している。
【００５７】
この場合、皿ねじ３２を螺合してゆく（ねじ込んでゆく）過程で、皿ねじ３２の皿状のねじ頭部３２ａが、シート部材であることで若干の変形が可能な左内板部１５Ａ´の下側板部１５Ａｂのねじ挿通孔部３１周縁部を、前記座ぐり３３ｄに当たるまで、皿状に変形（庫内側へ膨出）させる。この結果、図３０に示す左側断熱壁９の組み立て状態において、当該ねじ挿通孔部３１の周縁部３１ａが、左単位パネル１６Ａに対して離間し、皿ねじ３２は左内板部１５Ａ´の下側板部１５Ａｂ裏面から当該左単位パネル１６Ａ方向へ突出しない形態となる。
【００５８】
なお、このガイドレール取付具３３は、引き出し式扉５と一体化された前記野菜容器を引き出し可能に支持するガイドレールを取り付けるためのものであり、又、ガイドレール取付具３４は、引き出し式扉８と一体化された前記冷凍品収容容器を引き出し可能に支持するガイドレールを取り付けるためのものである。
【００５９】
前記仕切り壁支持具３５は、前記第１の仕切り壁５５を支持するためのものであり、又、前記仕切り壁支持具３６は、前記第２の仕切り壁５６を支持するためのものである。これら仕切り壁支持具３５、３６は前記第１実施形態の固定具２６と同じ取付構造により取り付けられている。
【００６０】
この第２実施形態においては、一つの単位パネル１６Ａに対して、突出部である前記棚板支持部４０ａ、４０ｂ、４０ｃを一体に形成した一体成形品Ｉｅからなる内板部この場合上側板部１５Ａａと、平板状のシート部材Ｓｂからなる内板部この場合下側板部１５Ａｂとが隣接して設けられている。なお、別の単位パネル１６Ｂに対応する内板部も同様の構成である。
【００６１】
これによれば、一つの単位断熱壁である左側断熱壁９であってもその内板部を、一体成形品Ｉｅからなる内板部（上側板部１５Ａａ）とシート部材Ｓｂからなる内板部（下側板部１５Ａｂ）とから構成することで、一つの単位断熱壁について部分的な一体成形品及びシート部材の使い分けができ、設計のバリエーションが増加する。
【００６２】
又、第２実施形態においては、突出部である前記棚板支持部４０ａ、４０ｂ、４０ｃを一体に形成した一体成形品Ｉｅからなる内板部である上側板部１５Ａａが、冷蔵室５７の内面を構成し、平板状のシート部材Ｓｂからなる内板部である下側板部１５Ａｂが、野菜室５８、小冷凍室５９、製氷室６０、冷凍室６１の内面を構成するから、換言すれば、上側板部１５Ａａと下側板部１５Ａｂとが異なる貯蔵室を構成するから、使用者に見られる貯蔵室（冷蔵室５７）内面は、突出部の見栄えが良い一体成形品Ｉｅで構成でき、使用者にあまり見られない他の貯蔵室内面は、別部品の突出部（一体成形品の突出部よりは突出輪郭が目立つことがある）を取り付けたシート部材Ｓｂで構成できる。つまり、使用者により視認されにくい貯蔵室は、安価なシート部材を使用できる。
【００６３】
又、この第２実施形態においては、前記一体成形品Ｉｅからなる上側板部１５Ａａと、シート部材Ｓｂからなる下側板部１５Ａｂとの境界部分には、異なる貯蔵室間を仕切る仕切り壁部である第１の仕切り壁５５が存在する構成とした。これによれば、上側板部１５Ａａと下側板部１５Ａｂとの境界部分をこの第１の仕切り壁５５で隠すことができる。
又、この第２実施形態によれば、シート部材Ｓｂからなる下側板部１５Ａｂが、引出容器を備えた貯蔵室（野菜室５８、小冷凍室５９、製氷室６０、冷凍室６１）の内面を構成している。
【００６４】
つまり、引出容器を備えた貯蔵室は、使用者の目が当該貯蔵室内面には届きにくいものであり、これら引出容器を備えた貯蔵室としての野菜室５８、小冷凍室５９、製氷室６０、冷凍室６１の内面をシート部材Ｓｂからなる下側板部１５Ａｂで構成することは、シート部材を必要箇所に有効に利用できる。
【００６５】
又、この第２実施形態においては、一体成形品Ｉｄからなる上側板部１５Ａａにより、回転扉３、４を備えた貯蔵室である冷蔵室５７の内面を構成したから、冷蔵室５７内面の見栄えが良い。すわなち、冷蔵室５７内面は、回転扉３、４の開放時に使用者の目が届くところであり、前記突出部である棚板支持部４０ａ、４０ｂ、４０ｃにも目が届くことも多い。しかるに、この冷蔵室５７の内面における前記棚板支持部４０ａ、４０ｂ、４０ｃが型成形による一体成形品Ｉｅと一体であるから、これら棚板支持部４０ａ、４０ｂ、４０ｃが上側板部１５Ａａから滑らかに突出する形態となり、見栄えが良く、衛生面での印象も良くなる。
【００６６】
＜第３実施形態＞
図２６及び図２７は第３実施形態を示しており、この実施形態では、第２実施形態におけるガイドレール取付具３３における本体部３３ａ周縁部に、内箱１５内面側（図では下側板部１５Ａｂ側）へ傾斜する弾性変形可能なひれ部３３ｅを形成した点が第１実施形態と異なる。なお、図示しないがガイドレール取付具３４にも同様にひれ部３３ｅが形成されている。
【００６７】
このひれ部３３ｅは、ガイドレール取付具３３の取付状態において、内箱１５内面に密接する。このひれ部３３ｅにより内箱１５内面とガイドレール取付具３３との間の隙間を隠すことができる。すなわち、皿ねじ３２をガイドレール取付具３３のねじ孔部３３ｃにねじ込む際に、下側板部１５Ａｂのねじ挿通孔部３１の周縁部３１ａを変形させることから、このねじ挿通孔部３１部分に皺が発生することがあり、これによってこの左内板部１５Ａとガイドレール取付具３３との間に隙間が発生することがある。しかるにこの第３実施形態によれば、この隙間は上述したひれ部３３ｅにより隠すことができる。
【００６８】
＜第４実施形態＞
図２８〜図２９は第４実施形態を示しており、この実施形態では、次の点が第１実施形態と異なる。すなわち、前記第１実施形態では、左外板部１４Ａと下外板部１４Ｄと右外板部１４Ｂとを分割したが、これら左外板部１４Ａと下外板部１４Ｄと右外板部１４Ｂとを連続した外板部１４Ｚで構成している。なお符号１６Ｄは下外板部１４Ｄ内面及び下内板部１５Ｄ間に配設される単位パネルである。
【００６９】
この第４実施形態で示すように外箱１４は各板部の全部が分割されていなくても良い。
又、前述した第３実施形態（図２６及び図２７）では、ガイドレール取付具３３にひれ部３３ｅを設けて、内箱１５内面とガイドレール取付具３３との間の隙間を当該ひれ部３３ｅで隠すようにしたが、ガイドレール取付具３３自体を透明とすることで上記隙間を目立たなくするようにしても良い。
【００７０】
なお、内箱を、複数に分割された内板部から構成し、この内板部の少なくとも一つを、前記突出部を一体に形成した一体成形品で構成する構成とすれば良い。
又、単位断熱壁は少なくとも２つであれば良い。例えば左側断熱壁９が単独であり、他の断熱壁１０〜１３が一体（外板部が連続して一体で、内板部が連続して一体、単位パネルが連続して一体）の断熱壁として構成されていても良い。
【００７１】
又、単位断熱壁としては、内板部と外板部との間に単位パネルを配置し、内板部と単位パネルの一面とを接着し、単位パネルの他面と外板部とを接着する構成としても良いし、又、内板部と単位パネルの一面とを接着し、単位パネルの他面と外板部との間に発泡ウレタンなどの断熱材を介在させた構成としても良い。
【００７２】
又、外箱及び真空断熱パネルは分割せずに内箱のみを複数の内板部に分割し連結した形態としても良い。
以上のように本実施形態の冷蔵庫は、外箱と、内箱と、これら外箱及び内箱の間に配置される真空断熱パネルとから構成された断熱箱体を備えた冷蔵庫であって、前記内箱は庫内に突出する突出部を備え、前記内箱を、複数に分割された内板部から構成し、前記内板部の少なくとも一つを、前記突出部を一体に形成した一体成形品で構成した。これによれば、製作工数の低減を図り得る。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
図面中、１は冷蔵庫、２は断熱箱体、３、４は回転扉、５〜８は引出し式扉、９は左側断熱壁（単位断熱壁）、１０は右側断熱壁（単位断熱壁）、１１は上側断熱壁（単位断熱壁）、１１ｂは機械室、１２は下側断熱壁（単位断熱壁）、１３は奥側断熱壁（単位断熱壁）、１４は外箱、１４Ａは左外板部、１４Ｂは右外板部、１４Ｃは上外板部、１４Ｄは下外板部、１４Ｅは後外板部、１５は内箱、１５Ａは左内板部、１５Ｂは右内板部、１５Ｃは上内板部、１５Ｄは下内板部、１５Ｃ１は連結部、１５Ｃ２はリブ、１５Ｅは奥内板部、Ｓａ、Ｓｂ、Ｓｃはシート部材、Ｉａ、Ｉｂ、Ｉｃ、Ｉｄは一体成型品、１６は真空断熱パネル、１６Ａは左単位パネル、１６Ｂは右単位パネル、１６Ｃは上単位パネル、１６Ｄは下単位パネル、１６Ｅは奥単位パネル、１７はＬ状部（折れ曲がり部）、１８は排水受け部（折れ曲がり部）、２１は前端用連結部材、２５はシート部材用連結部、２６は固定具（別部品の突出部）、３２は皿ねじ（締結部材）、３３、３４はガイドレール取付具（別部品の突出部）、３５、３６は仕切り壁支持具（別部品の突出部）、３７は背面カバー取付具（別部品の突出部）、４０ａ〜４０ｃは棚板支持部（突出部）、４１ａ、４１ｂはガイドレール取付部（突出部）、４２ａ、４２ｂは仕切り壁支持部（突出部）、１５Ａ´は左内板部、２５´はシート部材用連結部、２５´´はシート部材用連結板、４４、４６は補強板（補強部材）、５５は第１の仕切り壁、５６は第２の仕切り壁、５７は冷蔵室（貯蔵室）、５８は野菜室（貯蔵室）、５９は小冷凍室（貯蔵室）、６０は製氷室（貯蔵室）、６１は冷凍室（貯蔵室）を示す。
【図１】
0006005342.tif 000002
【図２】
0006005342.tif 000003
【図３】
0006005342.tif 000004
【図４】
0006005342.tif 000005
【図５】
0006005342.tif 000006
【図６】
0006005342.tif 000007
【図７】
0006005342.tif 000008
【図８】
0006005342.tif 000009
【図９】
0006005342.tif 000010
【図１０】
0006005342.tif 000011
【図１１】
0006005342.tif 000012
【図１２】
0006005342.tif 000013
【図１３】
0006005342.tif 000014
【図１４】
0006005342.tif 000015
【図１５】
0006005342.tif 000016
【図１６】
0006005342.tif 000017
【図１７】
0006005342.tif 000018
【図１８】
0006005342.tif 000019
【図１９】
0006005342.tif 000020
【図２０】
0006005342.tif 000021
【図２１】
0006005342.tif 000022
【図２２】
0006005342.tif 000023
【図２３】
0006005342.tif 000024
【図２４】
0006005342.tif 000025
【図２５】
0006005342.tif 000026
【図２６】
0006005342.tif 000027
【図２７】
0006005342.tif 000028
【図２８】
0006005342.tif 000029
【図２９】
0006005342.tif 000030
【図３０】
0006005342.tif 000031